(57)【要約】【課題】画像読取部の位置を高くすることなく、シートを容易に取り出せるようにする。【課題手段】複写機９０は、シートが積載される排紙トレイ９ｃを上部に有して、シートに画像を形成した後、そのシートを排紙トレイ９ｃ排出する画像記録装置９１と、排紙トレイの上方に位置して、画像が記録された記録体の前記画像を読み取る画像読取装置９２と、画像記録装置と画像読取装置とを操作する操作部９６と、を備え、画像読取装置を、画像記録装置の上側でかつ後方に配設し、さらに、操作部を画像読取装置の手前側でかつ排紙トレイのシート排出方向の上流側に配設してあり、排紙トレイ９ｃに排出されたシートの一部が画像読取装置の手前側に露出するようになっている。【選択図】　　　図１
2004138683.tif 000002
【特許請求の範囲】
【請求項１】
排出シートが積載されるシート積載手段を上部に有して、シートに画像を記録した後、該シートを前記シート積載手段に排出する画像記録部と、
前記シート積載手段の上方に位置して、画像が記録された記録体の前記画像を読み取る画像読取部と、
前記画像記録部と前記画像読取部とを操作する操作部と、を備え、
前記画像読取部を、前記画像記録部の上側で前記シート積載手段に排出されたシートの一部が前記画像読取部の手前側に露出するように後方に配設し、さらに、前記操作部を前記画像読取部の手前側でかつ前記シート積載手段へのシート排出方向の上流側に配設したことを特徴とする画像形成装置。
【請求項２】
前記画像記録部の枠体である記録部枠体と、前記記録部枠体に対して前記シート排出方向の上流側に位置して前記画像読取部の筐体を支持する支持枠体と、前記支持枠体を補強する補強部材と、を備え、
前記補強部材は、前記支持枠体の前記シート排出方向の下流側端部に設けられ、
前記筐体は、前記支持枠体の後方に寄せて設けられていることを特徴とする請求項１に記載の画像形成装置。
【請求項３】
前記記録部枠体と支持枠体は、補強し合って接続されていることを特徴とする請求項２に記載の画像形成装置。
【請求項４】
前記画像記録部の枠体である記録部枠体と、前記シート排出方向上流側に位置して前記画像読取部の筐体を支持する支持枠体と、前記支持枠体を補強する補強部材と、を備え、
前記支持枠体は、手前側に立設されたフロント部材と、後ろ側に立設されたリア部材と、前記フロント部材と前記リア部材とを上部で結合する結合部材と、を有し、
前記補強部材は、前記支持枠体の前記シート排出方向の下流側端部に設けられ、
前記筐体は、手前側が前記結合部材と前記補強部材とに固定されて、後ろ側が前記リア部材に固定されて、前記支持枠体の後方に寄せて設けられていることを特徴とする請求項２又は３に記載の画像形成装置。
【請求項５】
前記記録部枠体は、前記フロント部材と前記リア部材とに一体的に設けられていることを特徴とする請求項４に記載の画像形成装置。
【請求項６】
前記フロント部材と前記結合部材は、各々平板状に形成されて、該平板の主平面に対して折り曲げられた折り曲げ片を有し、
前記補強部材は、平板状に形成されて、前記フロント部材と前記結合部材に沿うように該平板の主平面に対して連続して折り曲げられた折り曲げ片を有して、該主平面を前記フロント部材と前記結合部材との折り曲げ片に取り付けて前記フロント部材と前記結合部材に取り付けられていることを特徴とする請求項４に記載の画像形成装置。
【発明の詳細な説明】
【０００１】
【発明の属する技術分野】
本発明は、シートに画像を記録する複写機、プリンタ、ファクシミリ及びこれらの複合機等の画像形成装置に関し、特に、画像を記録したシートを上部に排出する画像記録部と、この画像記録部の上方の奥側の位置に配設されて原稿や書籍等の記録体の画像を読み取る画像読取部とを備えた画像形成装置に関する。
【０００２】
【従来の技術】
従来、画像形成装置の一例として、画像記録部の上方に画像読取部を配設して、画像記録部と画像読取部との間の空間に設けたトレイにシートである記録紙を排出してその記録紙を取り出しやすくした構成になっている画像形成装置がある（例えば、特許文献１参照）。
【０００３】
その画像形成装置の概略構成を図１０に示す。この画像形成装置１０１は、排出トレイ１０２を上面に形成してあるプリンタ１０３と、下面の前後方向中央部および後部に設けられて下面前部よりも下方に突出する下方突出部１０７を有するイメージスキャナ１０５と、イメージスキャナ１０５の前面の上部に前方（手前側）に突出して設けた操作パネル１０４と、排出トレイ１０２の上方で、イメージスキャナ１０５を支持する天板１０８を有してプリンタ１０３に取り付けられたラック１０９とを備えている。そして、排出トレイ１０２上の記録紙を取り出しやすくするため、天板１０８は、イメージスキャナ１０５の下面前部１０６を支持する前側の下面前部支持部１１０を、その後側の下方突出部１０７を支持する下方突出部支持部１１１よりも高く形成してある。
【０００４】
【特許文献１】
特開２０００−２９５４１１号公報（図３）
【０００５】
【発明が解決しようとする課題】
しかし、従来の画像形成装置１０１は、解決しなければならない、次の課題があった。
【０００６】
（１）　排出トレイ１０２がイメージスキャナ１０５によって完全に覆われているため、天板１０８の前側の下面前部支持部１１０を、その後側の下方突出部支持部１１１よりも高く形成してあるだけでは、排出トレイ１０２上の記録紙を取り出しにくかった。このため、排出トレイ上方の空間の高さをある程度必要として、イメージスキャナ１０５の位置を高くしなければならなかった。
【０００７】
（２）　イメージスキャナ１０５の全重量をラック１０９の天板１０８だけで支えなければならないため、ラック１０９が大型になり、高価になっていた。
【０００８】
本発明は、画像読取部の位置を高くすることなく、シートを容易に取り出せるようにした画像形成装置を提供することを目的としている。
【０００９】
【課題を解決するための手段】
上記課題を解決するため、本発明の画像形成装置は、排出シートが積載されるシート積載手段を上部に有して、シートに画像を記録した後、該シートを前記シート積載手段に排出する画像記録部と、前記シート積載手段の上方に位置して、画像が記録された記録体の前記画像を読み取る画像読取部と、前記画像記録部と前記画像読取部とを操作する操作部と、を備え、前記画像読取部を、前記画像記録部の上側で前記シート積載手段に排出されたシートの一部が前記画像読取部の手前側に露出するように後方に配設し、さらに、前記操作部を前記画像読取部の手前側でかつ前記シート積載手段へのシート排出方向の上流側に配設してある。
【００１０】
【発明の実施の形態】
以下、本発明の実施形態である画像形成装置を図面に基づいて説明する。
【００１１】
なお、画像形成装置には、複写機、プリンタ、ファクシミリ、及びこれらの複合機等がある。本発明は、デジタル複写機を例に挙げて説明するが、デジタル複写機に限定されるものではない。
【００１２】
また、本実施の形態では、画像が形成されたシートを「原稿」と言い符号をＤとし、画像を形成されるシートを「記録紙」と言い符号をＰとする。
【００１３】
本実施形態の複写機は、原稿の他に、開いた書籍の画像も読み取ることができるようになっているが、原稿を読み取る場合に付いて説明する。原稿、書籍等を記録体という。
【００１４】
図１は本発明の実施形態の画像形成装置の一例であるデジタル複写機の外観斜視図である。図２は図１のデジタル複写機の平面図である。図３は、記録紙排出トレイに記録紙が排出積載されていないときのデジタル複写機の外観斜視図である。図４は、デジタル複写機を記録紙の搬送方向に沿った断面図である。
【００１５】
画像形成装置である例えばデジタル複写機（以下、単に、「複写機」という）９０は、上方に画像読取部である例えば画像読取装置９２を有し、下方に画像記録部である例えば画像記録装置９１を有している。そして、複写機９０は、コピーモードのとき、画像読取装置９２で読み取った原稿Ｄの画像情報を画像記録装置９１で記録紙に複写し、プリンターモードのとき、ホストパソコン（ＰＣ）からの画像データを受信して画像記録装置９１で記録紙Ｐに記録するようになっている。
【００１６】
画像読取装置９２は、記録体である例えばシート状の原稿Ｄや、開いた書籍等の画像を読み取る装置である。画像読取装置９２は、原稿自動供給（ＡＤＦ）モードのとき、原稿台トレイ１１に載置された複数枚の原稿Ｄを１枚ずつ順次搬送して、所定位置に停止している読取手段である例えば密着型イメージセンサ２１で画像を順次読み取るようになっている。ブック（ＢＯＯＫ）モードのとき、原稿台ガラス２２に載置された原稿を、或いは、開いた書籍を動かないようにしておいて、イメージセンサ２１の移動によって原稿や書籍の画像を読み取るようになっている。
【００１７】
画像記録装置９１は、図４に示すように、画像読取装置９２で原稿や書籍を読み取った画像情報、あるいは外部から送信されてきた画像情報に基づく光学系１からのレーザ光によって、像担持体である感光体ドラム７を照射して感光体ドラム７に静電潜像を形成する。そして、プロセスカートリッジ１０としてカートリッジ化された画像形成部において、感光体ドラム７に形成してある静電潜像を現像剤（トナー）で現像してトナー像にする。感光体ドラム７、プロセスカートリッジ１０等は、画像形成手段の一例である。
【００１８】
一方、トナー像の形成と同期して、画像記録部９１の底部に配設した記録紙給紙部２から搬送部３によって記録紙Ｐを画像記録装置９１内に供給して搬送する。転写器４は、感光体ドラム７上のトナー像を記録紙Ｐに転写する。そして、定着器５が記録紙を加圧加熱してトナー像を記録紙に定着する。最後に排紙ローラ６によって、記録紙をシート積載手段である例えば排紙トレイ９ｃに排出する。排紙トレイ９ｃと画像読取装置９２との間には、記録紙を積載するの必要な空間Ｅを確保してある。
【００１９】
画像読取装置９２は、画像記録装置９１の上方において、図２に示すように排出された記録紙Ｐが画像読取装置９２の手前側に平面視露出するように、後ろ側にずらして配設してある。画像記録装置９１が記録可能な記録紙のサイズは、最大で幅２１６ｍｍ（レターサイズ）である。このため、画像読取装置９２は、一般に使用されるレターサイズ、またはＡ４サイズ（幅２１０ｍｍ）の記録紙が露出する位置に配設してあるのが好ましい。
【００２０】
また、操作部９６は、画像記録装置９１の上方でかつ画像読取装置９２の手前側において、排出された記録紙Ｐが露出するように、記録紙Ｐの排紙方向の上流側すなわち図２において、左側にずらして配設してある。
【００２１】
したがって、本実施形態の複写機９０は、上記の構成によって、排出された記録紙Ｐが画像読取装置９２や操作部９６からその一部が平面視露出するようになっているので、ユーザが記録紙Ｐを容易に取り出すことができるようになる。
【００２２】
また、本実施形態の複写機９０は、操作部９６の左端部を画像読取装置９２の左端部に揃えるようにしている。この構成によって、排出された記録紙Ｐを取り出しやすくなるだけでなく、デザイン的に美しく見せることができる。
【００２３】
ところで、本実施形態の複写機９０は、上述の構成により、ユーザが記録紙Ｐを容易に取り出すことができるようになっているが、画像読取装置９２の右手前部が空中に張り出しているため、画像読取装置９２の右手前部に荷重が加わっても、画像記録装置９１の上方において、これを充分に支えるためのフレームが必要になる。
【００２４】
図５、図６、図７は、本発明に係るデジタル複写機の画像読取装置９２を保持する支持枠体を説明するために、カバーなどの余分なものを取り除いた画像記録装置９１の斜視図である。図５は右手前上方から見た画像記録装置９１の斜視図である。図６は左手前上方から見た画像記録装置９１の斜視図である。図７は左後ろ上方から見た画像記録装置９１の斜視図である。
【００２５】
図５、図６、図７において、複写機９０全体の骨格である全体フレーム４０は、記録部枠体である例えば第１フレーム４１、支持枠体である例えば第２フレーム４２、補強部材である例えば補強ステー３５、筐体である例えば読取部フレーム２５によって形成されている。
【００２６】
主に、画像記録装置９１を支持する第１フレーム４１は、板金の側板８Ｆ，８Ｒを複数のステー９ａ，９ｂ，９ｃ，９ｄ，９ｅ等で結合して形成してある。このうち、符号９ｃで示す、ステーは、画像記録装置９１の排紙トレイと、画像記録装置９１のフレームを構成するステーとしての機能を兼ねている。
【００２７】
画像読取装置９２を支える第２フレーム４２は、フロント部材である例えばフロントシャーシ３１、リア部材である例えばリアシャーシ３２、結合部材である例えば右上ステー３３及び左上ステー３４等で構成されている。
【００２８】
フロントシャーシ３１は、強度向上のための複数の曲げが入った１枚の板金からなり、画像記録装置９１の側板８Ｆと重なり合って不図示のボルト・ナット、リベット等によって一体化されて、相互に強度を向上させてある。また、リアシャーシ３２は、フロントシャーシ３１と同じく強度向上のための複数の曲げが入った１枚の板金からなり、画像記録装置９１の側板８Ｒと重なりあって不図示のボルト・ナット、リベット等によって一体化されて、相互に強度を向上させてある。
【００２９】
これによって、第１フレーム４１と第２フレームとが相互に補強し合って一体化されて、全体フレーム４０の板厚を厚くすることなく、軽量で、かつ強度を高めることができる。
【００３０】
また、フロントシャーシ３１とリアシャーシ３２とを１枚の板金で薄く形成し、画像記録装置９１の側板８Ｆ，８Ｒと一体化しているので、画像記録装置９１とほぼ同じ大きさで第２フレーム４２を形成することができる。これによりデジタル複写機９０を小さくすることができる。
【００３１】
右上ステー３３と、左上ステー３４は、画像記録装置９１の上部において、左右それぞれに分かれてフロントシャーシ３１とリアシャーシ３２とを結合している。また、右上ステー３３と左上ステー３４との間には排紙上部ガイド３６を設けてある。排紙上部ガイド３６は、排出された記録紙が右上ステー３３に引っかからないように案内している。右上ステー３３、左上ステー３４、排紙上部ガイド３７は、１枚の板金で形成してもよいが、１枚の板金にすると、曲げが多く形状が複雑になり、コストアップになるため、分割したほうが好ましい。また、排紙上部ガイド３６はステーとしての強度の必要がないため、右上ステー３３、左上ステー３４に比べてコストの安い材料を使用してもよい。
【００３２】
右上ステー３３、左上ステー３４は、それぞれ板金をコの字形状、あるいはＺ形状に曲げて強度の向上を図っている。また、図５、図６に示すように、左上ステー３４は充分な高さに曲げた部分３４ａ，３４ｂを形成して強度の向上を図っている。しかし、右上ステー３３は排紙トレイ９ｃが右上ステー３３の方に競り上がってくるために、充分な高さの曲げ部分を形成することができないので、強度的に左上ステー３４に比べて弱くなっている。それにもかかわらず、右上ステー３３は右側に飛び出した画像読取装置９２の自重と画像読取装置９２に加わる荷重とを支えなければならない。このため、右上ステー３３には、左上ステー３４に要求される強度に比べて多大な強度が要求されている。
【００３３】
そこで、右上ステー３３の強度不足を補うため、右上ステー３３とフロントシャーシ３１とに補強ステー３５を取り付けてある。補強ステー３５の主平面３５ａは、右上ステー３３の主平面３３ａに対して垂直に折り曲げて形成した折り曲げ片である例えば垂直曲げ部３３ｂに取り付けられるとともに、フロントシャーシ３１の主平面３１ａに対して垂直に折り曲げて形成した折り曲げ片である例えば垂直曲げ部３１ｂに取り付けられて、主平面３３ａ及び主平面３１ａに対して垂直になるようになっている。この結果、右上ステー３３とフロントシャーシ３１と補強ステー３５とが一体になり、右上ステー３３が補強される。
【００３４】
また、補強ステー３５はフロントシャーシ３１の下部の方まで延びており、フロントシャーシ３１の不図示の曲げと補強ステー３５の不図示の曲げとを組みあわせて結合することにより強度の向上を図ってある。
【００３５】
さらに、補強ステー３５には、補強ステー３５自身の強度を高めるため、主平面３５ａに対して垂直に曲げた補強片３５ｂを、フロントシャーシ３１の主平面３１ａと平行であって、かつ連続して右上ステー３３の主平面３３ａにも平行になるようにしごき加工によって形成してある。すなわち、補強ステー３５の外縁には、右上ステー３３とフロントシャーシ３１との側に折り曲げられた折り曲げ片である例えば補強片３５ｂを形成してある。
【００３６】
補助部材３７，３８は、画像読取装置９２を第２フレーム４２に取り付けるための部材である。右上補助部材３７は右上ステー３３に、左上補助部材３８は左上ステー３４に各々取り付けてある。補助部材３７，３８は、それぞれ取り付けられたステー３３，３４上を矢印Ｇ（図６参照）方向に取り付け位置を調節できるようになっており、第２フレーム４２に取り付ける画像読取装置９２の奥行き寸法のばらつきに合わせて調節することができるようになっている。
【００３７】
図８、図９は、複写機９０の上述の第２フレーム４２に画像読取装置９２の筐体である例えば読取部フレーム２５を取り付けた状態を示す斜視図であり、図８は左手前上方から、図９は左後ろ下方から見た図である。
【００３８】
画像読取装置９２の読取部フレーム２５は、ベースフレーム２５ａと、アッパーフレーム２５ｂとで構成されている。
【００３９】
ベースフレーム２５ａは、板金の四方を折り曲げ、そして、折り曲げた部分を互いに固定して箱形状に形成してある。アッパーフレーム２５ｂは、しごき加工によって板金の四方を連続して折り曲げた折り曲げ部によって、箱形に形成してある。そして、ベースフレーム２５ａにアッパーフレーム２５ｂで蓋をするようにして、箱形状のフレーム２５ａ，２５ｂ同士を重ね合わせて固定することにより、軽量で高い剛性の画像読取装置９２の読取部フレーム２５を得ることができる。これにより、画像読取装置９２の張り出した右手前角部に荷重が掛かった場合でも、画像読取装置９２が変形しないようにすることができる。
【００４０】
画像読取装置９２の読取部フレーム２５は第２フレーム４２に４箇所で固定されている。読取部フレーム２５は前方（手前）左側において左上補助部材３８に固定されている。読取部フレーム２５は前方（手前）右側において補強ステー３５を間に挟んで右上補助部材３７に固定されている。読取部フレーム２５は後方においてリアシャーシ３２の上部に形成した曲げ部３２ｂにボルト・ナット、あるいはリベット等によって固定されている。すなわち、読取部フレーム２５の左右端部付近は、リアシャーシ３２の上部のそれぞれに固定されている。
【００４１】
なお、画像読取装置９２のイメージセンサ２１を駆動するモータ２３が読取部フレーム２５の下側に飛び出しているが、モータ２３を読取部フレーム２５の最端部に設け、かつ左上ステー３４をモータ２３と高さ方向に重ならないようにその内側にずらした位置に配設することによって、画像読取装置９２の高さが高くならないようにしている。
【００４２】
以上のように構成することにより、画像記録装置９１と画像読取装置９２との間の空間Ｆの高さを例えば約５０ｍｍ以下にして、画像読取装置９２の高さを低くしているにもかかわらず、排出された記録紙Ｐを容易に取り出すことができる。また、空中に張り出した画像読取装置９２の図３の矢印Ｆで示す右手前角部に、装置全体が傾いてしまうぎりぎりまでの荷重をかけた場合でも変形を少なくしている。ちなみに、その最大変位量を例えば約３ｍｍ以下、荷重を取り除いた後の変形量を例えば約０．１ｍｍ以下に抑えている。
【００４３】
本発明の実施形態の例を以下に列挙する。
【００４４】
（実施態様１）排出シートが積載されるシート積載手段を上部に有して、シートに画像を記録した後、該シートを前記シート積載手段に排出する画像記録部と、前記シート積載手段の上方に位置して、画像が記録された記録体の前記画像を読み取る画像読取部と、前記画像記録部と前記画像読取部とを操作する操作部と、を備え、前記画像読取部を、前記画像記録部の上側で前記シート積載手段に排出されたシートの一部が前記画像読取部の手前側に露出するように後方に配設し、さらに、前記操作部を前記画像読取部の手前側でかつ前記シート積載手段へのシート排出方向の上流側に配設したことを特徴とする画像形成装置。
【００４５】
実施態様１の画像形成装置は、シート積載手段に排出されたシートの一部が、画像読取部の手前側でかつ操作部の脇（例えば、図２において右側）において、上方を遮られることなく露出するため、シート積載手段と画像読取部との間の空間を狭くしてもシートを容易に取り出すことができる。また、画像読取部の位置を低くして、装置自体の高さも低くすることもできる。
【００４６】
（実施態様２）前記画像記録部の枠体である記録部枠体と、前記記録部枠体に対して前記シート排出方向の上流側に位置して前記画像読取部の筐体を支持する支持枠体と、前記支持枠体を補強する補強部材と、を備え、前記補強部材は、前記支持枠体の前記シート排出方向の下流側端部に設けられ、前記筐体は、前記支持枠体の後方に寄せて設けられていることを特徴とする実施態様１に記載の画像形成装置。
【００４７】
実施態様２の画像形成装置は、画像読取部を支える支持枠体を、画像記録部を薄く覆うように形成することができるとともに、画像読取部の張り出した部分を支えるために最も強度を要する部分の構造を強化することができるため、コンパクトかつ低コストで画像読取部を支持することができる。また、空中に張り出した画像読取部の右手前角部に、装置全体が傾いてしまうぎりぎりまでの荷重をかけた場合でも変形を少なくすることができる。
【００４８】
（実施態様３）前記記録部枠体と支持枠体は、補強し合って接続されていることを特徴とする実施態様２に記載の画像形成装置。
【００４９】
実施態様３の画像形成装置は、全体フレームの板厚を厚くすることなく、軽量で、かつ強度を高めることができる。また、余分なスペースを必要としない。
【００５０】
（実施態様４）　前記画像記録部の枠体である記録部枠体と、前記シート排出方向上流側に位置して前記画像読取部の筐体を支持する支持枠体と、前記支持枠体を補強する補強部材と、を備え、前記支持枠体は、手前側に立設されたフロント部材と、後ろ側に立設されたリア部材と、前記フロント部材と前記リア部材とを上部で結合する結合部材と、を有し、前記補強部材は、前記支持枠体の前記シート排出方向の下流側端部に設けられ、前記筐体は、手前側が前記結合部材と前記補強部材とに固定されて、後ろ側が前記リア部材に固定されて、前記支持枠体の後方に寄せて設けられていることを特徴とする実施態様２又は３に記載の画像形成装置。
【００５１】
実施態様４の画像形成装置は、画像読取部を支える支持枠体を、画像記録部を薄く覆うように形成することができるとともに、画像読取部の張り出した部分を支えるために最も強度を要する部分の構造を強化することができるため、コンパクトかつ低コストで画像読取部を支持することができる。
【００５２】
（実施態様５）　前記記録部枠体は、前記フロント部材と前記リア部材とに一体的に設けられていることを特徴とする実施態様４に記載の画像形成装置。
【００５３】
実施態様５の画像形成装置は、フロント部材とリア部材のそれぞれが、画像記録部の記録枠体と相互に構造を強化することができるだけでなく、場所を取らない構成にすることができる。
【００５４】
（実施態様６）　前記フロント部材と前記結合部材は、各々平板状に形成されて、該平板の主平面に対して折り曲げられた折り曲げ片を有し、前記補強部材は、平板状に形成されて、前記フロント部材と前記結合部材に沿うように該平板の主平面に対して連続して折り曲げられた折り曲げ片を有して、該主平面を前記フロント部材と前記結合部材との折り曲げ片に取り付けて前記フロント部材と前記結合部材に取り付けられていることを特徴とする実施態様４に記載の画像形成装置。
【００５５】
実施形態６の画像形成装置は、フロント部材と結合部材とが補強部材によって補強されて、コンパクトかつ低コストな構成でありながら最も効果的に強度を上げることができる。フロント部材と結合部材と補強部材との３つの部品の主平面がそれぞれ互いに垂直になって結合しているので、コンパクトかつ低コストな構成でありながら最も効果的に強度を上げることができる。しかも、補強部材自身が折り曲げ片によって補強されているので、より一層、コンパクトかつ低コストな構成でありながら最も効果的に強度を上げることができる。また、空中に張り出した画像読取部の手前角部（例えば、図２の右手前（右手前）角部）に、装置全体が傾いてしまうぎりぎりまでの荷重をかけた場合でも変形を少なくすることができる。
【００５６】
【発明の効果】
本発明の画像形成装置は、シート積載手段に排出されたシートの一部が、画像読取部の手前側でかつ操作部の脇において、上方を遮られることなく露出するので、シート積載手段と画像読取部との間の空間を狭くしてもシートを容易に取り出すことができる。また、画像読取部の位置を低くすることもできる。
【図面の簡単な説明】
【図１】本発明の実施形態の画像形成装置の一例であるデジタル複写機の外観斜視図である。
【図２】図１のデジタル複写機の平面図である。
【図３】記録紙排出トレイに記録紙が排出積載されていないときのデジタル複写機の外観斜視図である。
【図４】図１のデジタル複写機を記録紙の搬送方向に沿った断面図である。
【図５】図１のデジタル複写機において、複写機のカバーなどを取り除いて右手前上方から見た複写機の記録部枠体である第１フレームと支持枠体である第２フレームの斜視図である。
【図６】図１のデジタル複写機において、複写機のカバーなどを取り除いて左手前上方から見た複写機の記録部枠体である第１フレームと支持枠体である第２フレームの斜視図である。
【図７】図１のデジタル複写機において、複写機のカバーなどを取り除いて左後ろ上方から見た複写機の記録部枠体である第１フレームと支持枠体である第２フレームの斜視図である。
【図８】図５に示す枠体に、画像読取装置の筐体を設けた複写機の全体フレームの斜視図である。
【図９】図８に示す複写機の全体フレームを、左後ろ下から見た斜視図である。
【図１０】従来の画像読取装置の概略正面図である。
【符号の説明】
Ｐ　　　記録紙（記録体）
Ｆ　　　矢印
７　　　感光体ドラム（画像形成手段）
８Ｆ　　側板
８Ｒ　　側板
９ａ，９ｂ，９ｃ，９ｄ，９ｅ　　　ステ−
９ｃ　　排紙トレイ（シート積載手段）
１０　　　プロセスカートリッジ（画像形成手段）
２１　　　イメージセンサ
２５　　　読取部フレーム（筐体）
２５ａ　　ベースフレーム
２５ｂ　　アッパーフレーム
３１　　　フロントシャーシ（フロント部材）
３１ａ　　主平面
３１ｂ　　垂直曲げ部（折り曲げ片）
３２　　　リアシャーシ（リア−部材）
３２ｂ　　曲げ部
３３　　　右上ステ−（結合部材）
３３ａ　　主平面
３３ｂ　　垂直曲げ部（折り曲げ片）
３４　　　左上ステー（結合部材）
３４ａ，３４ｂ　　折り曲げ部
３５　　　補強ステー
３５ｂ　　補強片（折り曲げ片）
３５ａ　　主平面
３５ｂ　　補強片
３６　　　排紙上部ガイド
３７　　　排紙上部ガイド、右上補助部材
３８　　　左上補助部
４０　　　全体フレーム
４１　　　第１フレーム（記録部枠体）
４２　　　第２フレーム（支持枠体）
９０　　　デジタル複写機（画像形成装置）
９１　　　画像記録装置（画像記録部）
９２　　　画像読取装置（画像読取部）
９６　　　操作部
【図１】
2004138683.tif 000003
【図２】
2004138683.tif 000004
【図３】
2004138683.tif 000005
【図４】
2004138683.tif 000006
【図５】
2004138683.tif 000007
【図６】
2004138683.tif 000008
【図７】
2004138683.tif 000009
【図８】
2004138683.tif 000010
【図９】
2004138683.tif 000011
【図１０】
2004138683.tif 000012